(57)【要約】【課題】  火力固定の手動運転で室温が上がりすぎたり下がりすぎたりするのを防止できる温風暖房機を提供する。【解決手段】  室内温度が設定温度になるように運転を行う自動運転又は複数の大きさの火力から火力を選択してその火力で運転を行う手動運転を行う温風暖房機に於いて、手動運転で室内温度が設定上限温度より高くなった時、手動運転を終了して設定温度を設定上限温度とした自動運転を行うと共に、手動運転で室内温度が設定下限温度より低くなった時、火力の大きさを所定レベル大きくするので、室温が設定上限温度よりも高くなることがなく、室温が上昇し続けてしまうことを防止できると共に、室温が設定下限温度よりも低くなることがなく、室温が下降し続けて場合によっては火が消えて運転停止してしまうことを防止できるものである。【選択図】  図８
2015014378.tif 000002
【特許請求の範囲】
【請求項１】
燃焼を行うバーナ部と、このバーナ部で発生した熱を温風として暖房に供する対流ファンと、室内温度が設定温度になるように自動運転を行う運転スイッチと複数の大きさの火力から火力を選択してその選択した火力で運転を行う手動運転スイッチとを設けた操作部と、前記操作部の操作により自動運転又は手動運転を制御する制御装置とを備えた温風暖房機に於いて、前記制御装置は、手動運転で室内温度が設定上限温度より高くなった時、手動運転を終了して設定温度を設定上限温度とした自動運転を行うと共に、手動運転で室内温度が設定下限温度より低くなった時、火力の大きさを所定レベル大きくすることを特徴とする温風暖房機。
【請求項２】
前記手動運転で選択できる火力は強中弱で、強又は中火力固定で手動運転を行っている時に室内温度が設定上限温度より高くなった時、手動運転を終了して設定温度を設定上限温度とした自動運転を行うと共に、弱火力固定で手動運転を行っている時に室内温度が設定下限温度より低くなった時、火力の大きさを弱火力より所定レベル大きくすることを特徴とする請求項１記載の温風暖房機。
【発明の詳細な説明】
【技術分野】
【０００１】
この発明は、温風を吹き出して室内を暖房する温風暖房機に関するものである。
【背景技術】
【０００２】
従来、この種のものにおいては、自動燃焼運転モードと手動燃焼運転モードの２つの運転モードをもつものがあり、自動燃焼運転は、室温と設定温度との差にによって燃焼量を制御して常に室温を設定温度に保持するという制御であり、手動燃焼運転は、手動で燃焼量を固定、例えば強中弱火力のいずれかに設定して常に一定量の燃焼を行うというものがあった。（例えば特許文献１参照）
【先行技術文献】
【特許文献】
【０００３】
【特許文献１】特開平０８−５１５１号公報
【発明の概要】
【発明が解決しようとする課題】
【０００４】
ところで、この従来のものでは、燃焼量を強又は中火力で手動燃焼運転を設定した時、暖房負荷が小さい状態では室温が上昇し続けてしまう場合があり、又、燃焼量を弱火力で手動燃焼運転を設定した時、暖房負荷が大きい状態では室温が下降し続けて、場合によっては火が消えて運転停止してしまう場合があった。
【課題を解決するための手段】
【０００５】
上記課題を解決するために、本発明の請求項１では、燃焼を行うバーナ部と、このバーナ部で発生した熱を温風として暖房に供する対流ファンと、室内温度が設定温度になるように自動運転を行う運転スイッチと複数の大きさの火力から火力を選択してその選択した火力で運転を行う手動運転スイッチとを設けた操作部と、前記操作部の操作により自動運転又は手動運転を制御する制御装置とを備えた温風暖房機に於いて、前記制御装置は、手動運転で室内温度が設定上限温度より高くなった時、手動運転を終了して設定温度を設定上限温度とした自動運転を行うと共に、手動運転で室内温度が設定下限温度より低くなった時、火力の大きさを所定レベル大きくするものである。
【０００６】
また、請求項２では、前記手動運転で選択できる火力は強中弱で、強又は中火力固定で手動運転を行っている時に室内温度が設定上限温度より高くなった時、手動運転を終了して設定温度を設定上限温度とした自動運転を行うと共に、弱火力固定で手動運転を行っている時に室内温度が設定下限温度より低くなった時、火力の大きさを弱火力より所定レベル大きくするものである。
【発明の効果】
【０００７】
この発明の請求項１によれば、手動運転で室内温度が設定上限温度より高くなった時、手動運転を終了して設定温度を設定上限温度とした自動運転を行うと共に、手動運転で室内温度が設定下限温度より低くなった時、火力の大きさを所定レベル大きくするので、室温が設定上限温度よりも高くなることがなく、室温が上昇し続けてしまうことを防止できると共に、室温が設定下限温度よりも低くなることがなく、室温が下降し続けて場合によっては火が消えて運転停止してしまうことを防止できるものである。
【０００８】
また、請求項２によれば、手動運転で選択できる火力は強中弱で、強又は中火力固定で手動運転を行っている時に室内温度が設定上限温度より高くなった時、手動運転を終了して設定温度を設定上限温度とした自動運転を行うと共に、弱火力固定で手動運転を行っている時に室内温度が設定下限温度より低くなった時、火力の大きさを弱火力より所定レベル大きくするので、強又は中火力固定で手動運転を行っている時に室温が設定上限温度よりも高くなることがなく、室温が上昇し続けてしまうことを防止できると共に、弱火力固定で手動運転を行っている時に室温が設定下限温度よりも低くなることがなく、室温が下降し続けて場合によっては火が消えて運転停止してしまうことを防止できるものである。
【図面の簡単な説明】
【０００９】
【図１】この発明の一実施形態の外観斜視図。
【図２】同断面図。
【図３】同燃焼系の構成図。
【図４】同操作部の正面図。
【図５】同制御系の構成図。
【図６】同自動運転時の表示部の表示状態を示す要部正面図。
【図７】同手動運転時の表示部の表示状態を示す要部正面図。
【図８】同手動運転時の作動を示すフローチャート図。
【発明を実施するための形態】
【００１０】
次に、この発明の一実施形態における温風暖房機を図に基づいて説明する。
１は温風暖房機本体で、２は前面上部に備えられた操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板である。
【００１１】
前記機器本体１の外装体は、前面を覆う前パネル１３と、上面を覆う上面板１４と、側面及び背面を覆う背面板１５とを置き台１６の上に固定して構成されている。
【００１２】
１７は灯油などの液体燃料を供給するカートリッジ式タンク、１８はこのカートリッジ式タンク１７からの燃料を一時的に溜め置く固定タンク、１９は固定タンク１８内の燃料量が所定量以下になるとオンするフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【００１３】
２５は液体燃料を気化する気化器、２６は前記気化器２５を燃料が気化可能な温度まで加熱する気化ヒータ、２７は前記気化器２５の温度を検知する気化温度センサ、２８はバーナヘッド８の外周に設けられた炎孔網、２９は燃焼熱を気化器２５へ回収する熱回収リング、３０は気化ガスにスパーク放電して点火する点火器、３１は炎の状態を監視するフレームロッドである。
【００１４】
３２はこの機器本体１の制御を行う制御装置であって、マイコン（図示せず）を中心に構成されている。
３３は前記操作部２に設けられた操作部基盤であり、操作部２に設けられた各種スイッチや表示ランプがこの操作部基盤３３を介して前記制御装置３２に接続されている。
【００１５】
前記操作部２には機器の自動運転／停止を指示する運転スイッチ３４と、運転開始からの時間をカウントして所定時間（３時間）経過すると自動消火させる消し忘れタイマー手段（図示せず）のカウント時間をリセットして再度所定時間（３時間）のカウントを開始させる延長スイッチ３５と、燃焼量を強中弱火力のいずれかに設定して固定し、その固定した燃焼量で運転を行う手動運転スイッチ３６と、運転スイッチ３４に近接して設けられた自動運転ランプ３７と、室温や時刻を表示する数字表示部３８と、給油という文字を表示する給油文字表示部３９と、各スイッチの操作時や何等かの警告時に音を発するブザー４０とが設けられており、前記数字表示部３８と給油文字表示部３９は液晶表示器４１に設けられているものである。
【００１６】
４２は操作部２と温風吹出口３との間の中央部に設けられたカラー表示器で、発光部基盤４３に赤色ＬＥＤ４４と緑色ＬＥＤ４５を３個ずつ環状交互に配置して赤色及び緑色の二色に発光する発光部４６と、この発光部４６の光を周囲に拡散する拡散レンズ４７とにより構成されており、運転中は視覚的に後退作用のある後退色の緑色に点灯し、且つ自動消火の一定時間前より緑色で点滅することにより消火を予告し、また残り燃料量が所定量以下となり消火する際には視覚的に進出作用のある進出色である赤色に点灯・点滅することで、より目に付きやすい色にて使用者に給油を促すものである。
【００１７】
前記数字表示部３８は、３つの横長のセグメント４８と、４つの縦長のセグメント４９とで計７つの表示セグメントより構成され、７つの表示セグメントが全て点灯すると数字の８が表示されるもので、７つの表示セグメントを２つ並べて設けることにより設定温度を表示し、その隣に更に７つの表示セグメントを２つ並べて設けることにより検知した室内温度を表示するものである。
【００１８】
前記設定温度を表示する２つ並べた表示セグメントの上部には、設定という文字が印刷され、室内温度を表示する２つ並べた表示セグメントの上部には、室温という文字が印刷されており、又、一番左側の７つの表示セグメントの３つの横長のセグメント４８の横に、上から強、中、弱という文字が印刷されているものである。
【００１９】
次に、本実施例の作動について図８のフローチャートに基づいて説明する。
まず、手動運転スイッチ３６を操作して固定した燃焼量での運転が設定されると（Ｓ１）、数字表示部３８で設定温度を表示する２つ並べた表示セグメントの設定温度表示を中止して、固定した火力、例えば中であれば中と印刷されているところの横に位置する横長の表示セグメントのみを点灯させる。（Ｓ２）
【００２０】
そして次に固定した火力が強又は中かを判断し（Ｓ３）、固定した火力が強又は中ではない場合、つまり弱火力が設定された場合は室温が設定下限温度（本実施例では１２℃）より低いかを判断する。（Ｓ４）
【００２１】
そして（Ｓ４）で室温が設定下限温度より低い時、このままでは消火してしまう可能性があると判断して固定火力を変更し（Ｓ５）、弱の印刷の横で点灯している横長の表示セグメントを点滅させ（Ｓ６）、火力のレベルを弱火力よりも数段階大きい火力に上げるものである。（本実施例では、弱火力の火力レベル３を５レベルに上げる。）（Ｓ７）
【００２２】
そして次に固定火力を変更又は固定した燃焼量での運転である手動運転が解除されたかを判断し（Ｓ８）、固定火力を変更又は固定した燃焼量での運転である手動運転が解除されれば（Ｓ１）に戻り、固定火力を変更又は固定した燃焼量での運転である手動運転が解除されなければ、次に運転スイッチ３４がＯＦＦされたかを判断し（Ｓ９）、運転スイッチ３４がＯＦＦされれば運転を停止し（Ｓ１０）、運転スイッチ３４がＯＦＦされなければ、今の運転を継続して（Ｓ１１）、（Ｓ８）に戻るものである。
又、（Ｓ４）で室温が設定下限温度以上の時、そのままの火力固定で手動運転を継続させて、（Ｓ８）に戻るものである。
【００２３】
又、（Ｓ３）で固定した火力が強又は中の場合、つまり強又は中火力が設定された場合は、室温が設定上限温度（本実施例では３２℃）より高いかを判断する。（Ｓ１３）
【００２４】
そして（Ｓ１３）で室温が設定上限温度より低い時は、そのままの火力固定で手動運転を継続させ（Ｓ１４）、室温が設定上限温度より高い時は、このままでは室温が高くなり過ぎる可能性があると判断して手動運転を終了し（Ｓ１５）、強又は中の印刷の横で点灯している横長の表示セグメントを点滅させ（Ｓ１６）、設定温度を設定上限温度（本実施例では３２℃）に設定して自動運転を行い（Ｓ１７）、（Ｓ９）に進むものである。
【００２５】
以上のように、手動運転スイッチ３６を操作して固定した燃焼量での運転を行う時、強又は中火力が設定されて運転を行って室温が設定上限温度より高くなると、手動運転を終了して設定温度を設定上限温度に設定した自動運転を行うので、室温が設定上限温度よりも高くなることがなく、室温が上昇し続けてしまうことを防止できるものである。
【００２６】
又、手動運転スイッチ３６を操作して固定した燃焼量での運転を行う時、弱火力が設定されて運転を行って室温が設定下限温度より低くなると、固定火力を変更して火力のレベルを弱火力よりも数段階大きい火力に上げるので、室温が設定下限温度よりも低くなることがなく、室温が下降し続けて場合によっては火が消えて運転停止してしまうことを防止できるものである。
【００２７】
又、手動運転スイッチ３６を操作して固定した燃焼量での運転を行う時、数字表示部３８で設定温度を表示する２つ並べた表示セグメントの設定温度表示を中止して、固定した火力、例えば中であれば中と印刷されているところの横に位置する横長の表示セグメントのみを点灯させるので、固定した火力を表示するための表示素子を設ける必要が無く、部品の増加を防止できると共に、固定した火力をわかりやすく表示することができるものである。
【符号の説明】
【００２８】
２  操作部
５  対流ファン
９  バーナ部
３２  制御装置
３４  運転スイッチ
３６  手動運転スイッチ
【図１】
2015014378.tif 000003
【図２】
2015014378.tif 000004
【図３】
2015014378.tif 000005
【図４】
2015014378.tif 000006
【図５】
2015014378.tif 000007
【図６】
2015014378.tif 000008
【図７】
2015014378.tif 000009
【図８】
2015014378.tif 000010